【手続補正書】
【提出日】平成18年4月12日(2006.4.12)
【手続補正１】
【補正対象書類名】明細書
【補正対象項目名】発明の名称
【補正方法】変更
【補正の内容】
【発明の名称】コンテンツ提供装置、コンテンツ提供方法、コンテンツ提供方法のプログラム及び情報処理装置
【手続補正２】
【補正対象書類名】明細書
【補正対象項目名】特許請求の範囲
【補正方法】変更
【補正の内容】
【特許請求の範囲】
【請求項１】
複数の処理に係るウインドウを表示画面にそれぞれ表示して、マルチタスクにより前記複数の処理を同時並列的に処理可能であって、前記処理の何れかによりコンテンツを提供するコンテンツ提供装置において、
全画面切り換え操作により、前記コンテンツの提供に供する処理を全画面モードに切り換えるモード切換手段と、
前記全画面モードに切り換えられた場合、前記コンテンツの提供の処理に係るウインドウ中の表示を、前記表示画面に拡大して表示する全画面表示手段と、
前記全画面モードに切り換えられた場合、前記コンテンツの提供に供する処理以外の他の処理による映像及び／又は音声の出力を中止する出力中止手段と
を備えることを特徴とするコンテンツ提供装置。
【請求項２】
前記表示画面の下部に保持されるキーボードと、
前記キーボードの折り畳みを前記全画面切換操作として検知する検知手段と
を備えることを特徴とする請求項１に記載のコンテンツ提供装置。
【請求項３】
前記コンテンツの提供に供する処理が実行されていない状態で、前記キーボードの折り畳みが検知された場合に、前記コンテンツの提供に供する処理を前記全画面モードで起動する全画面モード起動手段を
備えることを特徴とする請求項２に記載のコンテンツ提供装置。
【請求項４】
ユーザー操作に応じた操作入力を受け付ける操作制御手段を備え、
前記操作制御手段は、
前記コンテンツの提供に供する処理を複数種類より選択可能なリモートコマンダからの操作入力を受け付け、
前記モード切換手段は、
前記リモートコマンダにより選択された処理を全画面モードに切り換える
ことを特徴とする請求項１に記載のコンテンツ提供装置。
【請求項５】
前記全画面モードによる処理についてのみ操作入力を受け付ける操作制御手段を備える
ことを特徴とする請求項１に記載のコンテンツ提供装置。
【請求項６】
前記操作制御手段は、
前記全画面モードによる処理についてのみ受け付ける操作入力として、リモートコマンダによる操作入力を受け付ける
ことを特徴とする請求項５に記載のコンテンツ提供装置。
【請求項７】
複数の処理に係るウインドウを表示画面にそれぞれ表示して、マルチタスクにより前記複数の処理を同時並列的に処理可能であって、前記処理の何れかによりコンテンツを提供するコンテンツ提供装置を用いたコンテンツ提供方法において、
全画面切り換え操作により、前記コンテンツの提供に供する処理を全画面モードに切り換えるモード切換ステップと、
前記全画面モードに切り換えられた場合、前記コンテンツの提供の処理に係るウインドウ中の表示を、前記表示画面に拡大して表示する全画面表示ステップと、
前記全画面モードに切り換えられた場合、前記コンテンツの提供に供する処理以外の他の処理による映像及び／又は音声の出力を中止する出力中止ステップとを有する
ことを特徴とするコンテンツ提供方法。
【請求項８】
所定の処理手順の実行によりコンテンツ提供装置の動作を制御するコンテンツ提供方法のプログラムであって、
前記コンテンツ提供装置は、
複数の処理に係るウインドウを表示画面にそれぞれ表示して、マルチタスクにより前記複数の処理を同時並列的に処理可能であって、前記処理の何れかによりユーザーにコンテンツを提供し、
前記処理手順は、
全画面切り換え操作により、前記コンテンツの提供に供する処理を全画面モードに切り換えるモード切換ステップと、
前記全画面モードに切り換えられた場合、前記コンテンツの提供の処理に係るウインドウ中の表示を、前記表示画面に拡大して表示する全画面表示ステップと、
前記全画面モードに切り換えられた場合、前記コンテンツの提供に供する処理以外の他の処理による映像及び／又は音声の出力を中止する出力中止ステップとを有する
ことを特徴とするコンテンツ提供方法のプログラム。
【請求項９】
処理に係るウインドウを表示する表示部と、キーボードとが接続される情報処理装置であって、
前記キーボードの折り畳みを検知する検知手段と、
前記キーボードの折り畳みが検知された場合、前記ウインドウを前記表示部の全画面に拡大して表示する表示制御部と
を備えることを特徴とする情報処理装置。
【手続補正３】
【補正対象書類名】明細書
【補正対象項目名】０００１
【補正方法】変更
【補正の内容】
【０００１】
【発明の属する技術分野】
本発明は、コンテンツ提供装置、コンテンツ提供方法、コンテンツ提供方法のプログラム及び情報処理装置に関し、例えばパーソナルコンピュータに適用することができる。本発明は、所定の操作により映像を拡大して表示して、他の処理によるコンテンツの提供等を中止することにより、従来に比してコンテンツを鑑賞し易くする。
【手続補正４】
【補正対象書類名】明細書
【補正対象項目名】００１４
【補正方法】変更
【補正の内容】
【００１４】
本発明は以上の点を考慮してなされたもので、従来に比してコンテンツを鑑賞し易くすることができるコンテンツ提供装置、コンテンツ提供方法、コンテンツ提供方法のプログラム及び情報処理装置を提案しようとするものである。
【手続補正５】
【補正対象書類名】明細書
【補正対象項目名】００１５
【補正方法】変更
【補正の内容】
【００１５】
【課題を解決するための手段】
かかる課題を解決するため請求項１の発明においては、複数の処理に係るウインドウを表示画面にそれぞれ表示して、マルチタスクにより複数の処理を同時並列的に処理可能であって、これらの処理の何れかによりコンテンツを提供するコンテンツ提供装置に適用して、全画面切り換え操作により、前記コンテンツの提供に供する処理を全画面モードに切り換えるモード切換手段と、前記全画面モードに切り換えられた場合、前記コンテンツの提供の処理に係るウインドウ中の表示を、前記表示画面に拡大して表示する全画面表示手段と、前記全画面モードに切り換えられた場合、前記コンテンツの提供に供する処理以外の他の処理による映像及び／又は音声の出力を中止する出力中止手段とを備えるようにする。
【手続補正６】
【補正対象書類名】明細書
【補正対象項目名】００１６
【補正方法】変更
【補正の内容】
【００１６】
また請求項７の発明においては、複数の処理に係るウインドウを表示画面にそれぞれ表示して、マルチタスクにより複数の処理を同時並列的に処理可能であって、これらの処理の何れかによりユーザーにコンテンツを提供するコンテンツ提供装置を用いたコンテンツ提供方法に適用して、全画面切り換え操作により、前記コンテンツの提供に供する処理を全画面モードに切り換えるモード切換ステップと、前記全画面モードに切り換えられた場合、前記コンテンツの提供の処理に係るウインドウ中の表示を、前記表示画面に拡大して表示する全画面表示ステップと、前記全画面モードに切り換えられた場合、前記コンテンツの提供に供する処理以外の他の処理による映像及び／又は音声の出力を中止する出力中止ステップとを有する。
【手続補正７】
【補正対象書類名】明細書
【補正対象項目名】００１７
【補正方法】変更
【補正の内容】
【００１７】
また請求項８の発明においては、所定の処理手順の実行によりコンテンツ提供装置の動作を制御するコンテンツ提供方法のプログラムに適用して、前記コンテンツ提供装置は、複数の処理に係るウインドウを表示画面にそれぞれ表示して、マルチタスクにより前記複数の処理を同時並列的に処理可能であって、前記処理の何れかによりユーザーにコンテンツを提供し、前記処理手順は、全画面切り換え操作により、前記コンテンツの提供に供する処理を全画面モードに切り換えるモード切換ステップと、前記全画面モードに切り換えられた場合、前記コンテンツの提供の処理に係るウインドウ中の表示を、前記表示画面に拡大して表示する全画面表示ステップと、前記全画面モードに切り換えられた場合、前記コンテンツの提供に供する処理以外の他の処理による映像及び／又は音声の出力を中止する出力中止ステップとを有する。
【手続補正８】
【補正対象書類名】明細書
【補正対象項目名】００１８
【補正方法】変更
【補正の内容】
【００１８】
また請求項９の発明においては、処理に係るウインドウを表示する表示部と、キーボードとが接続される情報処理装置に適用して、前記キーボードの折り畳みを検知する検知手段と、前記キーボードの折り畳みが検知された場合、前記ウインドウを前記表示部の全画面に拡大して表示する表示制御部とを備えるようにする。
【手続補正９】
【補正対象書類名】明細書
【補正対象項目名】００１９
【補正方法】変更
【補正の内容】
【００１９】
請求項１の構成によれば、コンテンツ提供装置に適用して、全画面切り換え操作により、コンテンツの提供に供する処理を全画面モードに切り換えて、コンテンツの提供の処理に係るウインドウ中の表示を、表示画面に拡大して表示し、他の処理による映像及び又は音声の通知を中止することにより、拡大した表示によりコンテンツを鑑賞し易くし得、また他の処理による映像及び又は音声が通知されなくなることにより、拡大の表示に係るコンテンツの鑑賞に集中することができる。これにより従来に比してコンテンツを鑑賞し易くすることができる。
【手続補正１０】
【補正対象書類名】明細書
【補正対象項目名】００２０
【補正方法】変更
【補正の内容】
【００２０】
またさらに請求項７、請求項８、請求項９の構成によれば、従来に比してコンテンツを鑑賞し易くすることができるコンテンツ提供方法、コンテンツ提供方法のプログラム及び情報処理装置を提供することができる。